(57)【特許請求の範囲】
【請求項１】
テレコミュニケーションシステムにおけるターミナル(MS)の位置を指示する方法であって、上記テレコミュニケーションシステムは、コアネットワーク(CN)と、アクセスネットワーク(RAN)とを備え、該アクセスネットワークは、コアネットワークにターミナルの位置を報告するためのターミナルサービスネットワークコントローラ(SRNC)として少なくとも一時的に働く第１ネットワークコントローラと、ターミナルとの接続を維持するためのターミナルドリフトネットワークコントローラ(DRNC)として少なくとも一時的に働く第２ネットワークコントローラとを備え、ターミナル(MS)の位置に関する情報をコアネットワーク(CN)に送信するために第１組の所定の基準があり、この第１組の少なくとも１つの基準が満足されるのに応答して、ターミナル(MS)は、ターミナルの位置を決定できるところの基礎となる位置情報(4-1,5-1)を第２ネットワークコントローラ(DRNC)に送信し、そして第２ネットワークコントローラ(DRNC)は、コアネットワーク(CN)に報告するために、この位置情報を第１ネットワークコントローラ(SRNC)へ送るという方法において、
上記第１ネットワークコントローラ(SRNC)は、ターミナルの位置に関する変換された情報(4-2,5-2)を上記コアネットワーク(CN)へ送信し、
上記変換された情報は、上記ターミナル(MS)がそのサービスネットワークコントローラのもとにあることを明確に又は暗示的に指示することを特徴とする方法。
【請求項２】
ターミナルとの最後の接続指向の接続が終了するのに応答して、第１ネットワークコントローラ(SRNC)は、ターミナルの正しい位置をコアネットワーク(CN)に報告する請求項１に記載の方法。
【請求項３】
ターミナル(MS)の位置に関する上記情報は、第１ネットワークコントローラ(SRNC)により制御される位置であってターミナルのアクティブセットの一部分である位置を、もしこのような位置が存在すれば、指示する請求項１又は２に記載の方法。
【請求項４】
ターミナルのアクティブセットが、第１ネットワークコントローラ(SRNC)により制御される位置を含まない場合には、ターミナル(MS)の位置に関する上記情報は、上記いずれのネットワークコントローラによっても制御されない仮想位置を指示する請求項３に記載の方法。
【請求項５】
ターミナルのアクティブセットが、第１ネットワークコントローラ(SRNC)により制御される位置を含まない場合には、ターミナル(MS)の位置に関する上記情報は、第１ネットワークコントローラによって制御される最後の位置であってターミナルのアクティブセットの一部分であった最後の位置を指示する請求項３に記載の方法。
【請求項６】
ターミナルのアクティブセットが、第１ネットワークコントローラ(SRNC)により制御される位置を含まない場合には、ターミナル(MS)の位置に関する上記情報は、第１ネットワークコントローラにより少なくとも部分的に制御される位置を指示する請求項３に記載の方法。
【請求項７】
ターミナル(MS)の位置に関する上記情報は、ターミナルがその位置情報を最後に受け取った位置を指示する請求項１ないし６のいずれかに記載の方法。
【請求項８】
ターミナル(MS)のアクティブセットが、第１ネットワークコントローラ(SRNC)により制御される位置を含まない場合には、ターミナル(MS)の位置に関する上記情報は、第２ネットワークコントローラ(DRNC)により制御される位置を指示する請求項１ないし７のいずれかに記載の方法。
【請求項９】
ターミナル(MS)の位置に関する上記情報は、少なくとも１つのセル識別子、ルートエリア識別子、又は位置エリア識別子を指示する請求項１ないし８のいずれかに記載の方法。
【請求項１０】
上記第１組の基準は、ターミナルの位置の変化、ターミナルに対するＰＤＰコンテクストのアクチベーション及び繰り返し時間周期の満了を含む請求項１ないし９のいずれかに記載の方法。
【請求項１１】
上記第１及び第２のネットワークコントローラ(RNC1,RNC2)は、ターミナル(MS)に関連した契約情報を維持するための第１及び第２のスイッチング要素(SGSN1,SGSN2)に各々関連され、そして
ターミナルの位置に関する情報は、第１スイッチング要素(SGSN1)により受信され、該第１スイッチング要素は、ターミナルの位置に関する情報を個別の要求を伴わずに第２スイッチング要素(SGSN2)へ送信する(5-4)請求項１ないし１０のいずれかに記載の方法。
【請求項１２】
ターミナルの位置に関する上記情報は、ターミナルのパケットデータプロトコル及び／又は移動管理コンテクストを含む請求項１１に記載の方法。
【請求項１３】
上記第１及び第２のスイッチング要素(SGSN1,SGSN2)の各々は、実質的に、ＳＧＳＮノード、移動サービス交換センター又はその両方の組合せである請求項１１又は１２に記載の方法。
【請求項１４】
上記ターミナルは、移動ステーションであり、上記アクセスネットワークは、無線アクセスネットワークであり、そして上記ネットワークコントローラは、無線ネットワークコントローラである請求項１ないし１３のいずれかに記載の方法。
【請求項１５】
コアネットワーク(CN)及びアクセスネットワーク(RAN)を備えたテレコミュニケーションシステムにおいてターミナル(MS)をサポートするための第１ネットワークコントローラであって、この第１ネットワークコントローラは、コアネットワーク(CN)にターミナルの位置を報告するために上記アクセスネットワーク(RAN)におけるターミナルサービスネットワークコントローラ(SRNC)として少なくとも一時的に動作するよう構成され、そして第１ネットワークコントローラ(SRNC)は、ドリフトネットワークコントローラ(DRNC)から位置情報を受信し、そしてそれをコアネットワーク(CN)へ報告してターミナル(MS)の位置を決定するように構成される第１ネットワークコントローラにおいて、
ターミナルの位置に関する上記情報を、コアネットワーク(CN)へ報告する前に変換するように構成されており、
上記変換された情報は、上記ターミナル(MS)がそのサービスネットワークコントローラのもとにあることを明確に又は暗示的に指示することを特徴とする第１ネットワークコントローラ(SRNC)。
【発明の詳細な説明】
【０００１】
【技術分野】
本発明は、移動ターミナルの位置を報告するための方法及び装置に係る。本発明は、例えば、移動通信システムにおいてハンドオーバーを実施するのに使用できる。本発明は、少なくとも一部分が第３世代（３Ｇ）移動通信システムであるシステムに特に有効である。ＵＭＴＳ（ユニバーサル移動テレコミュニケーションシステム）のような３Ｇ移動通信システムは、ＵＭＴＳフォーラム及びヨーロピアン・テレコミュニケーション・スタンダード・インスティテュートＥＴＳＩによって規格化されている。現在のバージョンでは、３Ｇシステムは、回路交換及びパケット交換の両方の要素を含む。
【０００２】
【背景技術】
図１は、本発明を理解する上で重要な要素を示すテレコミュニケーションシステムのブロック図である。ＵＭＴＳ移動ステーションＭＳは、移動装置ＭＥ及びＵＳＩＭカード（ユーザ及びサービス並びに認識モジュール）より成る。ＭＳと無線アクセスネットワークＲＡＮとの間には無線インターフェイスＵｕがあり、ＲＡＮは、無線ネットワークコントローラＲＮＣの制御下にあるベースステーションＢＳを備えている。回路交換サービスについては、ＲＮＣは、Ｉｕインターフェイスを経て移動サービス交換センターＭＳＣに接続され、そしてパケット交換サービスについては、Ｇｂインターフェイスを経てサービスＧＰＲＳサポートノードＳＧＳＮへ至る接続がある（ＧＰＲＳ＝汎用パケット無線サービス）。ＭＳＣ及びＳＧＳＮ要素は、個別のＵＭＴＳ追加区分を含むことができる。ＭＳに関連した加入者データは、ホーム位置レジスタＨＬＲに永久的に記憶され、そして回路交換動作の場合に、データは、ＭＳに現在サービスするＭＳＣのビジター位置レジスタＶＬＲに転送される。ＧＳＭ／ＧＰＲＳシステムのＡ及びＧｂインターフェイスをＵＭＴＳのＩｕインターフェイスに適応させるための個別のインターワーキングユニットＩＷＵがあってもよい。装置に関連したデータを記憶するために、ネットワークは、装置認識レジスタＥＩＲを備えている。加入者特有のデータを入力しそして更新するために、マン−マシンインターフェイスＭＭＩを有するオペレーション・メンテナンスＯ＆Ｍ区分がある。補足的なサービスを形成しそして管理するために、通常、インテリジェントネットワークのサービス制御ポイント（ＳＣＰ）の進化バージョンである専用サービス制御ノードＳＣＮがある。
【０００３】
パケット交換区分についてのみ詳細に説明し、この区分は、ＧＰＲＳシステムに類似したものであると仮定する。ＧＰＲＳインフラストラクチャーは、ＧＰＲＳゲートウェイサポートノード（ＧＧＳＮ）及びＧＰＲＳサービスサポートノード（ＳＧＳＮ）のようなサポートノードを含む。ＧＧＳＮノードの主たる機能は、外部データネットワークとの対話を伴う。ＧＧＳＮは、ＭＳの経路に関連してＳＧＳＮにより供給されるルート情報を使用して位置ディレクトリを更新し、そしてカプセル化された外部データネットワークプロトコルパケットを、ＧＰＲＳバックボーンを経て、現在ＭＳにサービスしているＳＧＳＮへルート指定する。又、これは、外部データネットワークパケットをカプセル解除してそれを適当なデータネットワークへ転送し、データトラフィックの勘定を処理する。
【０００４】
ＳＧＳＮの主たる機能は、そのサービスエリアにおいて新たなＧＰＲＳ移動ステーションを検出し、新たなＭＳをＧＰＲＳレジスタに登録するプロセスを取り扱い、ＧＰＲＳのＭＳへ／からデータパケットを送信／受信し、そしてそのサービスエリア内のＭＳの位置の記録を保持することである。契約情報は、ＧＰＲＳレジスタ（ＨＬＲ）に記憶され、ここには、移動ステーションの認識（ＭＳ−ＩＳＤＮ又はＩＭＳＩ）とＰＳＰＤＮアドレスとの間のマッピングが記憶される。ＧＰＲＳレジスタは、データベースとして働き、ここから、ＳＧＳＮは、そのエリアの新たなＭＳがＧＰＲＳネットワークに加わることが許されるかどうか尋ねることができる。
【０００５】
ＧＰＲＳゲートウェイサポートノードＧＧＳＮは、オペレータのＧＰＲＳネットワークを他のオペレータのＧＰＲＳシステムのような外部システム、ＩＰネットワーク（インターネット）又はＸ.２５ネットワークのようなデータネットワーク１１、及びサービスセンターへ接続する。固定ホスト１４は、例えば、ローカルエリアネットワークＬＡＮ及びルータ１５により、データネットワーク１１に接続することができる。ボーダーゲートウェイＢＧは、インターオペレータＧＰＲＳバックボーンネットワーク１２へのアクセスを与える。又、ＧＧＳＮは、民間会社のネットワーク又はホストに直接接続されてもよい。ＧＧＳＮは、ＧＰＲＳ加入者のＰＤＰ（パケットデータプロトコル）アドレス及びルート情報、即ちＳＧＳＮアドレスを含む。ルート情報は、データネットワーク１１から、ＭＳの現在のスイッチングポイント即ちサービスＳＧＳＮにプロトコルデータユニットＰＤＵをトンネル送信するのに使用される。ＳＧＳＮ及びＧＧＳＮの機能は、同じ物理的ノードに接続する個とができる。
【０００６】
ＧＳＭネットワークのホーム位置レジスタＨＬＲは、ＧＰＲＳの加入者データ及びルート情報を含み、そして加入者のＩＭＳＩを、ＳＧＳＮアドレスと、一対以上のＰＤＰ形式及びＰＤＰアドレスとにマッピングする。又、ＨＬＲは、ＰＤＰ形式及びＰＤＰアドレスの各対をＧＧＳＮノードへとマッピングする。ＳＧＳＮは、ＨＬＲへのＧｒインターフェイスを有する（直接シグナリング接続により又は内部バックボーンネットワーク１３を経て）。ローミング中のＭＳのＨＬＲ及びそのサービスＳＧＳＮは、異なる移動通信ネットワークにあってもよい。
【０００７】
オペレータのＳＧＳＮ及びＧＧＳＮ装置を相互接続するイントラオペレータバックボーンネットワーク１３は、例えば、ＩＰネットワークのようなローカルネットワークによって実施することができる。又、オペレータのＧＰＲＳネットワークは、例えば、全ての特徴を１つのコンピュータに与えることにより、イントラオペレータバックボーンネットワークなしに実施できることに注意されたい。  図２は、３Ｇネットワークの種々のポイントで使用されるプロトコルスタックを示す。
【０００８】
ＧＰＲＳトラフィックに関与する移動ステーション（ＭＳ）は、それがセルを変更したことを検出した後にセル更新（ＣＵ）メッセージを送信する。多数のセルでルートエリア（ＲＡ）が構成され、ルートエリアが切り換わると、ＭＳは、ルートエリア更新（ＲＡＵ）メッセージを送信する。ＵＭＴＳにおいては、セル更新メッセージは、ＳＧＳＮには送信されず、ＲＮＣのみに送信される。それ故、ＳＧＳＮは、ＭＳの厳密なセルが分からない。アクティブなＭＳの場合、ＳＧＳＮは、ＭＳを取り扱うＲＮＣの識別子しか知らない。アイドル中のＭＳについては、ＳＧＳＮは、ＭＳのルートエリアの識別子しか知らない。
【０００９】
本発明の背景にある第１の問題について図３を参照して以下に説明する。３Ｇシステムは、ＧＳＭやＧＰＲＳのような２Ｇシステムには存在しない幾つかの問題をもたらす。例えば、ＭＳがそのセルを変更するときに、接続指向の接続は、ＭＳのアクティブセルを制御するＲＮＣによって取り扱われず、別のＲＮＣによって取り扱われる。前者のＲＮＣは、「ドリフトＲＮＣ」と称され、そして後者のＲＮＣは、「サービスＲＮＣ」と称される。図３において、ＲＮＣ１は、サービスＲＮＣ（ＳＲＮＣ）であり、そしてＲＮＣ２は、ドリフトＲＮＣ（ＤＲＮＣ）である。このような場合、ＣＵ及びＲＡＵメッセージは、回路交換接続（接続指向の接続）に指定されたチャンネルに背負われたエアインターフェイスを経て送信され、そしてサービスＲＮＣで終わる。ＧＰＲＳコアネットワークにおいて、無線アクセスネットワーク（ＲＡＮ）がセルＩＤ（識別子）をＣＵ又はＲＡＵメッセージに挿入して、ＭＳが実際にどこに位置しているか指示する場合、及びそのセルがサービスＲＮＣにより制御されない場合には、ＳＧＳＮは、パケット交換接続に対して別のＲＮＣを使用してもよい。しかしながら、これを行うことはできない。というのは、１人のユーザに対する全ての同時接続を１つのＲＮＣで処理しなければならないからである。換言すれば、ＳＧＳＮが使用すべきＲＮＣに関して曖昧である。ＵＭＴＳシステムにおいても、無線アクセスネットワーク（ＲＡＮ）がセルＩＤ（識別子）をＲＡＵメッセージ又はそれと同等のものに挿入する場合には同じことが言える。
【００１０】
第２の、それに関連した問題は、現在のＧＰＲＳ又は３Ｇシステムは、円滑なインターＳＧＳＮルートエリア更新（ＲＡＵ）手順を与えないことである。新たなＳＧＳＮと、古いＳＧＳＮ、ＨＬＲ、ＭＳＣ及びＧＧＳＮとの間には、多量のシグナリングが必要とされる。特に、新たなＳＧＳＮは、ＲＡＵを受け入れてシグナリングを続行できるよう確保できる前に、古いＳＧＳＮから加入者データを受信しなければならない。このシグナリングは数秒に及ぶ遅延を生じさせ、ある場合には、受け入れられないものとなる。更に、パケットトラフィックにおいては、仮想接続が数日間続くことがある。それ故、アンカーＭＳＣ及びフロートＭＳＣの既存の概念は、適当でない。
【００１１】
【発明の開示】
本発明の目的は、公知システムに関連した第１の問題を解消する方法及び装置を提供することである。この目的は、独立請求項の特徴部分に記載したことを特徴とする方法及び装置によって達成される。第２の問題に対する解決策及び第１の問題に対する好ましい解決策は、従属請求項に記載する。
本発明は、位置を決定できるところの基礎となる情報を送信するターミナル（例えば、ＣＵ又はＲＡＵメッセージを送信する間に接続指向の接続を有する移動ステーション）に対して、ターミナルの位置情報（例えば、そのセルＩＤ）を、例えば、模造セルＩＤのようなマスク又は偽造された（模造された）位置情報を使用して変換できるという考え方をベースとする。模造位置情報は、ＳＧＳＮがＭＳの位置をサービスＲＮＣのもとにあると仮定するように選択されるのが好ましい。セルアドレスのあるプール又はグループをこの目的に使用することができる。ＳＲＮＣ（又はＳＧＳＮ）が、トラフィックが送られたことを検出できるように、アドレスを選択するのが有益である。
【００１２】
本発明の種々の好ましい実施形態によれば、ＭＳの位置に関する情報は、次の１つ以上を指示する。
−  ＳＲＮＣにより制御され、そしてＭＳのアクティブセットの一部分である位置（例えば、セル）（このようなセルが存在すれば）；
−  ＭＳのアクティブセットがＳＲＮＣにより制御されるセルを含まない場合に、いずれのＲＮＣによっても制御されない仮想位置（例えば、セル）；
−  ＭＳのアクティブセットがＳＲＮＣにより制御されるセルを含まない場合に、ＳＲＮＣによって制御されそしてＭＳのアクティブセットの一部分であった最後の位置（例えば、セル）；
−  ＭＳのアクティブセットがＳＲＮＣにより制御されるセルを含まない場合に、ＤＲＮＣにより制御される位置（例えば、セル）；及び／又は
−  ＭＳが位置情報を最後に受信したところの位置（例えば、セル）。
【００１３】
ＭＳの位置情報がこれらセルの１つを指示することは、２つの解釈が考えられる。ＭＳの位置情報は、このようなセルを明確に又は暗示的に指示してもよい。明確な指示とは、位置情報が実際のセル識別子を含むことを意味する。暗示的な指示とは、セルを識別できる（そのように望む場合に）ところの基礎となるある情報（例えば、１つ以上のルート又は位置エリア識別子）を位置情報が含むことを意味する。又、ある位置関係データのみを転送し、そしてそれを使用してＭＳの位置を計算することも可能である。
位置情報を送信するための基準は、ＭＳの位置の変化、ＭＳに対するＰＤＰコンテクストのアクチベーション、及び繰り返し時間周期の満了を含むのが好ましい。
【００１４】
上記で簡単に述べたように、ＭＳの位置に関する情報は、ＭＳが位置情報を最後に受信したことろのセルのような位置を指示することができる。移動ステーションは、それが少なくとも１つのアクティブな接続を有するときに、その専用のシグナリング接続のみを経てシステム情報を受け取る。このシステム情報は、例えば、移動ステーションの現在位置（ルートエリア、位置エリア及びセル認識）を含む。システム情報は、ＭＳがアクティブな接続をもたないときにブロードキャスト制御チャンネルＢＣＣＨを経て受信する情報と性質が類似している。ＳＲＮＣは、それにより制御されるセルに関するシステム情報のみを送信する。換言すれば、ＤＲＮＣにより制御されるセルに関するシステム情報は送信しない。システム情報に基づいて、ＭＳは、それが新たなルート又は位置エリアへ移動したかどうか決定することができる。ＳＲＮＣは、この情報を必要に応じて送信する。これを送信する１つの適当な基準は、ＭＳが移動したことと、ＳＲＮＣがシステム情報を最後に又はＳＲＮＣハンドオーバー（再配置）の後に送信したところのセルをそのアクティブセットが含まないことである。
【００１５】
しかしながら、模造セルＩＤのような変換された位置の使用は、別の問題を引き起こす。ＭＳの最後の接続指向の接続が終了しそしてサービスＲＮＣがＭＳ−ＵＲＡＮ接続から削除されたときに、ＳＧＳＮは、新たな（正しい）ＲＮＣについて通知されねばならない。これは、サービスＲＮＣが変更される場合にも言えることである。この問題は、次のように解消することができる。ＭＳの最後の接続指向の接続が終了するか、又はサービスＲＮＣが変更された場合には、たとえＭＳの位置情報が変更されなくても、付加的なＣＵ又はＲＡＵをＭＳに対して実行しなければならない。
【００１６】
サービスＲＮＣにより実行される位置報告機能は、次のように要約される。
１．ＲＮＣハンドオーバーを実行すべきかどうかチェックする。もしそうでなければ、次いで；
２．サービスＲＮＣにより制御されそしてＭＳのアクティブセットの一部分であるセルのような位置を、もしそのようなセルが存在すれば、選択する。（又、アクティブセットは、ドリフトＲＮＣにより制御される少なくとも１つのセルを含まねばならず、さもなくば、ドリフトＲＮＣの概念が存在しないことに注意されたい。）
【００１７】
ステップ１においてハンドオーバーが実行されなかったか、又はステップ２においてセルが見つからなかった場合には、次のうちの１つを実行する；
３Ａ．セルのような仮想位置を選択する。仮想セルは実際のセルではない（即ち、無線トランシーバによってカバーされない）；又は
３Ｂ．サービスＲＮＣにより制御されるセルの中で、ＭＳにより使用される最後のセルを選択する。
ステップ３Ａが行なわれ、即ち仮想位置が選択された場合には、コアネットワーク要素（ＭＳＣ及び／又はＳＧＳＮ）は、位置情報が再割り当てを参照しないことを決定しなければならない。このような決定は、適当なセルＩＤナンバリングプラン又は変換テーブルに基づいて行うことができる。
【００１８】
【発明を実施するための最良の形態】
以下、添付図面を参照して、本発明の好ましい実施形態を詳細に説明する。
図４は、ＧＰＲＳネットワークに対するルートエリア更新（ＲＡＵ）手順を示す図である。ステップ４−１において、ＭＳは、ＲＮＣ２（ドリフトＲＮＣ）からＲＮＣ１（サービスＲＮＣ）へ「ルートエリア更新要求」を送信する。ステップ４−２において、ＲＮＣ１は、ＭＳの位置情報を追加し、そしてＲＡＵ要求をＳＧＳＮ１へ送る。ステップ４−３において、ＳＧＳＮ２は、ＳＧＳＮ１からＭＳのＰＤＰコンテクストを要求し、ＳＧＳＮ１は、ステップ４−４において応答する。ステップ４−５では、ＳＧＳＮ１は、ＭＳ着信（ＭＴ）パケットをＳＧＳＮ２へ送り始める。セキュリティ機能は、ステップ４−６として示されている。ステップ４−７では、ＳＧＳＮ２は、「ＰＤＰコンテクスト更新要求」をＧＧＳＮノードへ送信し、ＧＧＳＮノードは、ステップ４−８において応答する。ステップ４−９では、ＭＳの位置がＨＬＲにおいて更新される。ステップ４−１０では、ＨＬＲは、ＳＧＳＮ１におけるＭＳの位置を打消し、ＳＧＳＮ１は、これをステップ４−１１において確認する。ステップ４−１２では、ＨＬＲは、「加入者データ挿入」をＳＧＳＮ２へ送信し、ＳＧＳＮ２は、ステップ４−１３において確認する。ステップ４−１４では、ＨＬＲは、ステップ４−９で送信されたメッセージに対する確認をＳＧＳＮ２へ送信する。ステップ４−１５では、ＭＳがＩＭＳＩアタッチされそして回路交換接続をもたない場合に、ＳＧＳＮ−ＶＬＲ関係を更新しなければならない。ＳＧＳＮ２は、ＶＬＲにおけるＭＳの位置及びＳＧＳＮ番号を更新し、ＶＬＲは、これらをステップ４−１６において確認する。ステップ４−１７及び４−１８では、ＲＡＵプロセスが完了となる。
【００１９】
図５は、本発明の好ましい実施形態による別のインターＳＧＳＮルートエリア更新手順を示す。この実施形態及びその別の変形は、本発明の背景にあった第２の問題を解消する。
マクロダイバーシティにより、ＲＡＵのトリガー動作は、２Ｇシステムの場合より明確でない。ＲＡＵは、例えば、ＭＳのアクティブセットにおける全てのセルが新たなＲＡに属する場合、又はセルの半分以上がそれに属する場合に、トリガーすることができる。ステップ５−１では、ＭＳは、ＲＮＣ２（ドリフトＲＮＣ）を経てＲＮＣ１（サービスＲＮＣ）へ「ルートエリア更新」要求を送信する。ＭＳは、アップリンク接続が存在する場合にそれを経てＲＡＵ要求を送信する。ドリフトＲＮＣ及びサービスＲＮＣが共存するために、更新は、ＭＳの新たなルートエリアを制御しないＳＲＮＣにより受信される。ＭＳは、そのセッション管理手順を保留しなければならない。ステップ５−２において、ＲＮＣ１は、ＭＳの位置情報を追加し、そしてＲＡＵ要求をＳＧＳＮ１へ送る。これは、ＲＡＵ要求がＳＧＳＮ２へ送られた公知のＧＰＲＳシステムとは対照的である。ステップ５−３では、セキュリティ機能が通常通りに実行される。ＲＡＵ要求をＳＧＳＮ１へ送信する利点は、ＳＧＳＮ１がＭＳのデジタル符牒（ＧＰＲＳ用語におけるＰＴＭＳＩ符牒）を既に知っており、そしてそれに対して認証トリプレットをもつ見込みが高いことである。従って、これらを別々にフェッチする必要がなく、インターＳＧＳＮハンドオーバーによる遅延を短縮することができる。
【００２０】
ステップ５−４では、セキュリティ機能が首尾良く完了した場合に、ＳＧＳＮ１は、「ＲＡＵ転送要求」をＳＧＳＮ２へ送信する。このメッセージは、ＲＡＵの後に接続を再開するためのパラメータを含む。このようなパラメータは、セッション管理データ及び最終的にはＩｕ情報（ＲＮＣ２のアドレス）を含む。ＳＧＳＮ１は、タイミング周期をスタートし、その間にＭＳのデータをそのメモリに保持する。
ステップ５−５では、ＳＧＳＮ２は、ＨＬＲにおけるＭＳの位置（ＩＭＳＩ、ＳＧＳＮアドレス）を更新する。ステップ５−６では、ＨＬＲは、加入者データ（ＩＭＳＩ、契約詳細）をＳＧＳＮ２へ挿入し、ＳＧＳＮ２は、新たなＲＡにおいてＭＳの存在を有効なものとする。地域的及び他の全てのチェックにパスすると、ＳＧＳＮ２は、ＭＳに対するＭＭ（移動管理）コンテクストを確立し、そしてステップ５−７においてＨＬＲに確認を返送する。
【００２１】
ステップ５−８では、ＳＧＳＮ２は、ＲＮＣ２へのＩｕリンクを確立することができ、ＲＮＣ２は、ＭＳとの接続を迅速に再開するためにある無線パラメータを送信する。この特徴は、ＭＳが遅延に敏感なアプリケーションを有する場合に（これは、ＭＳのセッション管理コンテクストをチェックすることにより決定できる）特に有効である。
ステップ５−９では、ＳＧＳＮ２は、ステップ５−４で送られたメッセージに対して受け入れメッセージを返送する。この受け入れメッセージは、新たなＲＡインデックス、ＭＳの新たな一時的認識（ＧＰＲＳ用語のＰ−ＴＭＳＩ）及び／又はその新たなデジタル符牒を含む。更に、ＲＮＣ２から得られたある無線パラメータ又はコードが送信されてもよい。ＳＧＳＮ１は、エラーの処理を容易にするためにこのメッセージを直ちに確認しなければならない。ステップ５−１０では、ＳＧＳＮ１は、好ましくはステップ５−９のメッセージと同じパラメータを含む「ＲＡＵ受け入れ」メッセージをＭＳに送信する。更に、確認送信がアクティブである場合には、それが、ＳＧＳＮ１により知られたあるプロトコル状態情報を含んでもよい（これは、ＧＰＲＳにおけるＬＬＣ確認に対応する）。
【００２２】
ステップ５−１１において、ＳＧＳＮ１は、確認モードに対してダウンリンクデータ送信を保留し、プロトコルデータをそのまま保持する。ＱｏＳに基づき、ＳＧＳＮ１は、未確認モードに対してデータ送信を継続する。
ステップ５−２において、ＭＳは、「ＲＡＵ完了」メッセージで確認を行い、このメッセージは、新たな一時的認識（Ｐ−ＴＭＳＩ）と、ＭＳにより知られたあるプロトコル状態情報、例えば、ＭＳに使用される各ＬＬＣ接続に対するＬＬＣ確認とを含む（これは、更新手順を開始する前に首尾良く転送された全てのＭＴ  Ｎ−ＰＤＵを確認する）。パケット確認（ＧＰＲＳにおけるＬＬＣ確認と同等）が、あるＮ−ＰＤＵの受信を確認した場合には、これらのＮ−ＰＤＵがＳＧＳＮ１により破棄される。このメッセージは、ＲＮＣ再配置をトリガーする（これは、この実施形態では、ＭＳによりトリガーされる）。
【００２３】
ステップ５−１３では、ＭＳは、ＲＮＣ２との無線接続を確立する。無線パラメータがステップ５−１０において送信された（ＲＡＵ受け入れ）場合には、ＭＳは、これらパラメータとの無線接続を直ちに設定することができる。さもなくば、ＭＳは、共通チャンネルにアクセスすることにより無線接続を再確立しなければならず、これは、接続に長い中断を生じさせる。このため、ステップ５−１０における無線パラメータの送信は、ＱｏＳ従属である。ＭＳは、「ＲＡＵ完了」メッセージが失われた場合にエラー処理のためにアップリンクパケット（図示せず）をＳＧＳＮ２に送信しなければならない。ステップ５−１３を省略する別の実施形態について以下に説明する。
【００２４】
ステップ５−１４では、ＳＧＳＮ１は、「ＲＡＵ転送完了」メッセージをＳＧＳＮ２に送信する。ステップ５−１５では、ＳＧＳＮ１は、ＲＮＣ１に向かうＩｕリンクをキャンセルし、そしてダウンリンクパケットをＳＧＳＮ２に送り始める。ＭＳのコンテクストを保持し、そしてステップ５−４でスタートした任意のタイミング周期が満了になるまでＭＴパケットを送ることもできる。ステップ５−１６では、ＳＧＳＮ２が「ＲＡＵ転送完了」メッセージを受信すると、ＭＳに向かうデータ送信を再開する。
ステップ５−１７では、ＳＧＳＮ２は、「ＰＤＰコンテクスト更新要求」（ＳＧＳＮ２アドレス、トンネル識別子、ネゴシエーションされたＱｏＳ）を当該ＧＧＳＮへ送信する。ＧＧＳＮは、それらのＰＤＰコンテクストフィールドを更新し、そしてステップ５−１８において応答を返送する。ステップ５−１７及び５−１８は、ステップ５−５の後にいつでも行えることに注意されたい。
【００２５】
ステップ５−１９では、ＨＬＲは、ＳＧＳＮ１におけるＭＳの位置をキャンセルする。このメッセージは、ＭＳのＩＭＳＩを含み、そしてキャンセルの形式は、更新手順にセットされる。任意のタイマーがステップ５−４においてセットされなかった場合には、ＳＧＳＮ１は、ＭＳのＭＭ及びＰＤＰコンテクストを削除する。さもなくば、タイマーが時間切れするのを待機する。タイミング周期は、ＳＧＳＮ１がＮ−ＰＤＵの転送を完了できるようにする。又、これは、進行中のＲＡＵが完了する前にＭＳが別のインターＳＧＳＮ  ＲＡＵを開始する場合に、ＭＳのＭＭ及びＰＤＰコンテクストが保持されるように確保する。ステップ５−２０では、ＳＧＳＮ１は、「位置キャンセル確認」で確認する。
【００２６】
別の実施形態では、ステップ５−１３が省略される。むしろ、ステップ５−１５の間に、ＲＮＣ１は、ＲＮＣをここで再配置できるというＳＧＳＮ１からの指示を受け取る。ＲＮＣ１は、どれがＭＳを直接的に取り扱い始めるかをＲＮＣ２に通知する。
一般に、本発明は、ＳＧＳＮが３ＧのＭＳＣ（又はＭＳＣ／ＳＧＳＮ組合せ）に置き換えられた場合にも等しく適用できる。この実施形態の場合には、ＭＳＣ及び／又はＳＧＳＮは、パケットをルート指定し及び／又は回路交換接続を確立するので、「スイッチング要素」と称することができる。
【００２７】
ＧＳＭシステムでは、中継及び固定ＭＳＣを混同しないために、接続中に位置エリア更新は実行されない。マクロダイバーシティでは、ＬＡＵが古いＭＳＣに直接到達することができ、これにより、コール中にＬＡＵをもつことができる。しかしながら、ハードなインターＭＳＣハンドオーバーでは、特殊なメッセージ（アクティブなコール指示を伴うＬＡＵ）が必要とされる。このようなメッセージは、新たなＭＳＣをトリガーして、古いＭＳＣとの接続を確立し、そしてコールを再開するよう試みることができる。問題は、これが特にＧＳＭとＵＭＴＳとの間に生じることであり、これは、ＧＳＭのＭＳＣがこの特殊なＬＡＵメッセージを解釈する必要があることを意味する。
図４及び５は、両ＲＮＣが異なるＳＧＳＮノード又はＭＳＣのもとにあるという意味で最悪の筋書きを示していることに注意されたい。従って、ＳＧＳＮ又はＭＳＣが同じである場合には、これらの筋書きを簡単化することができる。
【図面の簡単な説明】
【図１】  本発明を理解する上で重要な要素を示すテレコミュニケーションシステムのブロック図である。
【図２】  ３Ｇネットワークにおける種々のポイントに使用されるプロトコルスタックを示す図である。
【図３】  問題を明瞭化するための簡単なブロック図である。
【図４】  ＧＰＲＳネットワークに対するルートエリア更新（ＲＡＵ）を示す図である。
【図５】  本発明の好ましい実施形態による別のインターＳＧＳＮルートエリア更新手順を示す図である。
【図１】
0003805249.tif 000002
【図２】
0003805249.tif 000003
【図３】
0003805249.tif 000004
【図４】
0003805249.tif 000005
【図５】
0003805249.tif 000006